(57)【要約】      （修正有）【課題】雪玉を玉として用いることができる雪玉用パチンコを提供する。【解決手段】把持部１の上端部に二股形状の支柱部２が設けられて略Ｙ字状に形成されている本体部３と、雪玉をセットする雪玉セット部５と、この雪玉セット部５と前記本体部３とを連結する紐状弾性体とで構成され、雪玉セット部５が、シート製のカップ状体に構成されると共に、カップ開口部側の左右両側に前記紐状弾性体が連結する連結部７が設けられ、更に背面部側にこの雪玉セット部５を後方側に引き操作するための取手部が設けられ、一端が支柱部２に連結されている紐状弾性体が連結部７に連結されて本体部３に設けられている構成とされている雪玉用パチンコ。【選択図】図１
0003203187.tif 000002
【実用新案登録請求の範囲】
【請求項１】
把持部の上端部に二股形状の支柱部が設けられて略Ｙ字状に形成されている本体部と、雪玉をセットする雪玉セット部と、この雪玉セット部と前記本体部とを連結する紐状弾性体とで構成され、前記紐状弾性体を介して前記本体部に設けられている前記雪玉セット部に雪玉をセットし、この雪玉をセットした雪玉セット部を後方に引き操作して前記紐状弾性体を弾性伸長させて該紐状弾性体に弾性力を生じさせ、この紐状弾性体に生じた弾性力により前記雪玉セット部にセットした雪玉を遠くに飛ばすことができる雪玉用パチンコであって、前記雪玉セット部は、シート製のカップ状体に構成され、カップ開口部側の左右両側に前記紐状弾性体が連結する連結部が設けられ、背面部側にこの雪玉セット部を後方側に引き操作するための取手部が設けられ、一端が前記支柱部に連結されている前記紐状弾性体が前記連結部に連結されて前記本体部に設けられている構成とされて、この紐状弾性体を介して前記本体部に設けられている前記雪玉セット部に雪玉をセットし、この雪玉をセットした雪玉セット部の前記取手部を掴んで該雪玉セット部を後方に引き操作して前記紐状弾性体を弾性伸長させると、シート製の前記雪玉セット部のカップ開口部が閉じ動作して該雪玉セット部の周面部がセットした雪玉を抱持して、前記引き操作中の前記雪玉セット部からの前記雪玉の脱落を可及的に防止するように構成されていることを特徴とする雪玉用パチンコ。
【請求項２】
前記本体部と前記雪玉セット部との間には、前記紐状弾性体と共に、この紐状弾性体が所定量以上に弾性伸長することを規制する弾性伸長規制部材が設けられていることを特徴とする請求項１記載の雪玉用パチンコ。
【請求項３】
前記伸長量規制部材は、前記紐状弾性体が非弾性伸長状態では少なくとも長手方向の一部が皺寄せ状態となっている、または弛緩状態になっており、前記引き操作により紐状弾性体と共に引っ張られ、前記紐状弾性体の弾性伸長量が所定量になった際に皺寄せ状態が解除された皺無し伸長状態となる、または緊張状態となって、それ以上の前記引き操作を不能にして前記紐状弾性体の弾性伸長を規制するように構成されていることを特徴とする請求項２記載の雪玉用パチンコ。
【請求項４】
前記伸長量規制部材は、少なくとも長手方向の一部が皺寄せ状態となっている筒状体に形成されている構成とされており、前記紐状弾性体は、前記伸長量規制部材内に挿通されていることを特徴とする請求項３記載の雪玉用パチンコ。
【請求項５】
前記雪玉セット部は、立体裁断された前記シート製である布製部材で少なくともセットした雪玉の一部を抱持する底面部と前記周面部とを有するカップ状体に形成されている構成とされていることを特徴とする請求項１〜４のいずれか１項に記載の雪玉用パチンコ。
【考案の詳細な説明】
【技術分野】
【０００１】
本考案は、雪玉用パチンコに関するものである。
【背景技術】
【０００２】
パチンコ（別名スリングショット）は、小石程度の小さくて硬い玉を勢いよく遠くへ発射するために用いる遊具（古くは狩猟用具）であり、一般的には、Ｙ字状に形成されている本体部の二股形状の支柱部間に、中央に発射する玉を挟持するための帯状の挟持片部を有するゴム紐が架設されている構成とされ、挟持片部の内面に玉を添え当て、この玉を挟持片部で挟持するように挟持片部の外面側（背面側）からこの挟持片部を指でしっかりと摘まみ持って玉をセットし、これをそのまま後方へ引き操作してゴム紐を伸長させて弾性力を生じさせ、摘み持った指を挟持片部から離してゴム紐の弾性力（復帰弾性力）を開放し、この開放されたゴム紐の弾性力で挟持片部にセットした玉を勢いよく発射してこの発射した玉を遠くへ飛ばすことができるように構成されている。
【考案の概要】
【考案が解決しようとする課題】
【０００３】
しかしながら、従来のパチンコは、上述のように引き操作時に帯状の挟持片部にセットした玉が脱落しないように指で玉を強く挟持するので、雪玉のような壊れ易いものをセットすると、この引き操作時の挟持操作で押し潰して壊してしまうため、この従来タイプのパチンコでは、雪玉を玉として用いることができなかった。
【０００４】
本考案は、上述のような現状に鑑みなされたもので、雪玉を玉として用いることができる雪玉用パチンコを提供することを目的とする。
【課題を解決するための手段】
【０００５】
添付図面を参照して本考案の要旨を説明する。
【０００６】
把持部１の上端部に二股形状の支柱部２が設けられて略Ｙ字状に形成されている本体部３と、雪玉４をセットする雪玉セット部５と、この雪玉セット部５と前記本体部３とを連結する紐状弾性体６とで構成され、前記紐状弾性体６を介して前記本体部３に設けられている前記雪玉セット部５に雪玉４をセットし、この雪玉４をセットした雪玉セット部５を後方に引き操作して前記紐状弾性体６を弾性伸長させて該紐状弾性体６に弾性力を生じさせ、この紐状弾性体６に生じた弾性力により前記雪玉セット部５にセットした雪玉４を遠くに飛ばすことができる雪玉用パチンコであって、前記雪玉セット部５は、シート製のカップ状体に構成され、カップ開口部側の左右両側に前記紐状弾性体６が連結する連結部７が設けられ、背面部側にこの雪玉セット部５を後方側に引き操作するための取手部８が設けられ、一端が前記支柱部２に連結されている前記紐状弾性体６が前記連結部７に連結されて前記本体部３に設けられている構成とされて、この紐状弾性体６を介して前記本体部３に設けられている前記雪玉セット部５に雪玉４をセットし、この雪玉４をセットした雪玉セット部５の前記取手部８を掴んで該雪玉セット部５を後方に引き操作して前記紐状弾性体６を弾性伸長させると、シート製の前記雪玉セット部５のカップ開口部が閉じ動作して該雪玉セット部５の周面部９がセットした雪玉４を抱持して、前記引き操作中の前記雪玉セット部５からの前記雪玉４の脱落を可及的に防止するように構成されていることを特徴とする雪玉用パチンコに係るものである。
【０００７】
また、前記本体部３と前記雪玉セット部５との間には、前記紐状弾性体６と共に、この紐状弾性体６が所定量以上に弾性伸長することを規制する弾性伸長規制部材10が設けられていることを特徴とする請求項１記載の雪玉用パチンコに係るものである。
【０００８】
また、前記伸長量規制部材10は、前記紐状弾性体６が非弾性伸長状態では少なくとも長手方向の一部が皺寄せ状態となっている、または弛緩状態になっており、前記引き操作により紐状弾性体６と共に引っ張られ、前記紐状弾性体６の弾性伸長量が所定量になった際に皺寄せ状態が解除された皺無し伸長状態となる、または緊張状態となって、それ以上の前記引き操作を不能にして前記紐状弾性体６の弾性伸長を規制するように構成されていることを特徴とする請求項２記載の雪玉用パチンコに係るものである。
【０００９】
また、前記伸長量規制部材10は、少なくとも長手方向の一部が皺寄せ状態となっている筒状体に形成されている構成とされており、前記紐状弾性体６は、前記伸長量規制部材10内に挿通されていることを特徴とする請求項３記載の雪玉用パチンコに係るものである。
【００１０】
また、前記雪玉セット部５は、立体裁断された前記シート製である布製部材で少なくともセットした雪玉４の一部を抱持する底面部11と前記周面部９とを有するカップ状体に形成されている構成とされていることを特徴とする請求項１〜４のいずれか１項に記載の雪玉用パチンコに係るものである。
【考案の効果】
【００１１】
本考案は上述のように構成したから、雪玉セット部にセットした雪玉を壊すことなく、且つ、この雪玉セット部から脱落させることなく、雪玉をセットした雪玉セット部を後方へ引き操作することができ、この引き操作によって付与した紐状弾性体の弾性力により雪玉を遠くへ飛ばす（発射する）ことができる従来にない画期的な雪玉用パチンコとなる。
【図面の簡単な説明】
【００１２】
【図１】本実施例を示す斜視図である。
【図２】本実施例の雪玉セット部（非引き操作状態）を示す斜視図である。
【図３】本実施例の雪玉セット部（非引き操作状態）を示す斜視図である。
【図４】本実施例の雪玉セット部（引き操作状態）を示す斜視図である。
【図５】本実施例の紐状弾性体及び伸長量規制部材を示す説明図であって、（ａ）は非引き操作状態、（ｂ）は引き操作状態を示す図である。
【図６】本実施例を示す説明平面図であって、（ａ）は非引き操作状態、（ｂ）は引き操作状態を示す図である。
【図７】本実施例の使用状態を示す図であって、（ａ）は引き操作する前の状態、（ｂ）は引き操作した状態を示す図である。
【考案を実施するための形態】
【００１３】
好適と考える本考案の実施形態を、図面に基づいて本考案の作用を示して簡単に説明する。
【００１４】
本考案は、雪玉４をセットする雪玉セット部５がシート製のカップ状体に構成されているから、従来のパチンコのように雪玉セット部５を介して雪玉４を挟持したり直接雪玉４を手で押さえ付けたりしなくても、雪玉セット部５に雪玉４をセットすることができる。
【００１５】
即ち、従来のパチンコは、玉をセットする挟持片部が帯状に形成されているため、この挟持片部で挟持するか、添え当てた状態で手で押さえておくかしなければ玉が挟持片部から脱落してしまうが、この点、本考案は、上述したように雪玉セット部５がカップ状体に構成されているから、雪玉４をセットする際、例えば雪玉セット部５をやや上向き状態（カップ開口部をやや上方に向けた状態）にして雪玉４をセットすれば、雪玉セット部５にセットした雪玉４をこの雪玉セット部を介して手で挟持したり或いは手でこの雪玉セット部５に押さえつけたりしなくても雪玉４を雪玉セット部５から脱落させることなくセット状態が保持される。
【００１６】
また、本考案は、雪玉４をセットした雪玉セット部５を引き操作する際も、雪玉セット部５を直接手で掴み持って引き操作するのではなく、この雪玉セット部５の背面部に設けられている取手部８を手で掴んで（例えば指で取手部８を摘まんだり、取手部８に指を引掛けたりして）引き操作するから、引き操作時に雪玉セット部５にセットした雪玉４に挟持操作による強い力が作用せず、よって、雪玉４を押し潰して壊すことなく雪玉セット部５を引き操作することができる。
【００１７】
更に、本考案は、雪玉セット部５が屈曲変形自在なシート製のカップ状体に構成されると共に、カップ開口部に近い左右両側部に設けられている連結部７に紐状弾性体６が連結されているから、雪玉４をセットした雪玉セット部５の取手部８を掴んでこの雪玉セット部５を後方に引き操作して紐状弾性体６を弾性伸長させると、連結した紐状弾性体６の引張り作用で雪玉セット部５のカップ開口部が閉じ動作し、この閉じ動作により雪玉セット部５の周面部９が雪玉４を抱持して、セットした雪玉４の雪玉セット部５からの脱落（離脱）が可及的に防止される。これにより、例えば発射方向（狙いの方向）を水平方向よりも下方に向けて雪玉セット部５のカップ開口部が下向きになっても、セットした雪玉４が雪玉セット部５から脱落することが殆ど無く、あらゆる方向に向けて雪玉４を発射することができる。
【００１８】
このように、本考案は、雪玉セット部５にセットした雪玉４を壊すことなく、且つ、この雪玉セット部５から脱落させることなく、雪玉４をセットした雪玉セット部５を後方へ引き操作することができ、この引き操作によって生じる紐状弾性体６の弾性力（復帰弾性力）により雪玉４を所望の方向へ遠くに飛ばす（発射する）ことができる従来にない画期的な雪玉用パチンコとなる。
【実施例】
【００１９】
本考案の具体的な実施例について図面に基づいて説明する。
【００２０】
本実施例は、紐状弾性体６（例えばゴム紐）を引き操作することで生じる弾性力（復帰弾性力）を利用して雪玉を遠くへ飛ばすことができる雪玉用パチンコであり、具体的には、把持部１の上端部に二股形状の支柱部２が設けられて略Ｙ字状に形成されている本体部３と、雪玉４をセットする雪玉セット部５と、この雪玉セット部５と本体部３とを連結する紐状弾性体６とで構成されている。
【００２１】
また更に、本実施例は、本体部３と雪玉セット部５との間に、紐状弾性体６と共に、この紐状弾性体６が所定量以上に弾性伸長することを規制する弾性伸長規制部材10が設けられている構成とされている。
【００２２】
以下、本実施例に係る構成各部について詳細に説明する。
【００２３】
本実施例の本体部３は、上述したように把持部１と左右二股形状に形成されている支柱部２とで構成されており、具体的には、把持部１は、アルミ製の棒状体から成り、柔軟性のある（例えばスポンジ製やゴム製の）グリップ部材12が装着されている。
【００２４】
また、支柱部２は、Ｖ字状またはＵ字状に形成されているアルミ製の棒状体から成り、夫々の先端部には紐状弾性体６を連結する本体側連結部13が設けられている。
【００２５】
また、雪玉セット部５は、こぶし大程度の大きさに形成された雪玉４をセットし得る程度のシート製のカップ状体に構成されており、また、カップ開口部側の左右両側（周面部９のカップ開口部に近い縁部）には紐状弾性体６が連結される連結部７が設けられ、更に、背面部側にはこの雪玉セット部５を後方側に引き操作するための取手部８が設けられている。
【００２６】
具体的には、本実施例の雪玉セット部５は、立体裁断されたシート製である布製部材（本実施例はナイロン等の合成繊維布を採用）でセットした雪玉４の一部（具体的には、ほぼ半面）を抱持する底面部11と周面部９とを有するカップ状体に形成されている。
【００２７】
また、連結部７は、周面部９に形成されている貫通孔７Ａと、この貫通孔７Ａに貫通装着される環状連結具７Ｂ（例えばカラビナ）で構成され、この環状連結具７Ｂに紐状弾性体６が連結される構成とされている。
【００２８】
また、取手部８は、帯状部材の両端部を雪玉セット部５の背面部（周面部９の外面）に止着し、中央部の非止着部が取手部８とされており、本実施例の雪玉セット部５は、この帯状の取手部８に指を引っ掛けて引き操作するように構成されている。
【００２９】
また、この雪玉セット部５は、紐状弾性体６を介して本体部３に設けられており、より具体的には、紐状弾性体６と、この紐状弾性体６が所定量以上に弾性伸長することを規制する弾性伸長規制部材10との双方を介して本体部３に設けられている。
【００３０】
紐状弾性体６は、具体的には、ゴム紐６（本実施例では、二本のゴム紐６、具体的には、一本を折り返して二本の状態にしたゴム紐６）が用いられ、一端が本体部３の支柱部２先端に設けられている本体側連結部13に連結され、他端が雪玉セット部５の連結部７（環状連結具７Ｂ）に連結されている。
【００３１】
また、伸長量規制部材10は、ゴム紐６と並設状態に設けられており、ゴム紐６同様、一端が本体部３の支柱部２先端に設けられている本体側連結部13に連結され、他端が雪玉セット部５の連結部７（環状連結具７Ｂ）に連結されている。
【００３２】
具体的には、伸長量規制部材10は、長手方向全体が蛇腹状、言い換えると皺が寄ったくしゃくしゃの状態（蛇腹状態）に形成されている非弾性素材で形成されたシート製の筒状体に構成されており、ゴム紐６が引き操作されていない非弾性伸長状態では前述の皺が寄ったくしゃくしゃしの状態となっていて、雪玉セット部５の引き操作によりゴム紐６の弾性伸長と共に伸長され（引っ張られ）、ゴム紐６の弾性伸長量が所定量になった際にくしゃくしゃの皺寄せ状態が解除され、それ以上伸長しない皺無し伸長状態（管形状）となって、ゴム紐６のそれ以上の弾性伸長を規制するように構成されている。
【００３３】
更に具体的には、本実施例では、この筒状に形成されている伸長量規制部材10にゴム紐６が挿通されており、この挿通されたゴム紐６は、両端部が夫々伸長量規制部材10に止着されて、伸長量規制部材10と一体化されている構成とされている。
【００３４】
次に、上述のように構成した本実施例の作用・効果について以下に説明する。
【００３５】
本実施例の雪玉用パチンコは、雪玉４をセットする雪玉セット部５がシート製のカップ状体に構成されているから、雪玉４をセットする際、雪玉セット部５をやや上向き状態（カップ開口部をやや上方に向けた状態）にして雪玉４をセットすれば、雪玉セット部５にセットした雪玉４をこの雪玉セット部を介して手で挟持したり或いは手でこの雪玉セット部５に押さえつけたりしなくても雪玉４を雪玉セット部５から脱落させることなくセット状態が保持される。
【００３６】
また、本実施例の雪玉用パチンコは、雪玉４をセットした雪玉セット部５を引き操作する際も、雪玉セット部５を直接手で掴み持って引き操作するのではなく、この雪玉セット部５の背面部に設けられている取手部８に指を引っ掛けて引き操作するから、引き操作時に雪玉セット部５にセットした雪玉４に挟持操作による強い力が加わらず、よって、引き操作時に雪玉４を押し潰して壊すことなく、この雪玉４をセットした雪玉セット部５を引き操作することができる。
【００３７】
更に、本実施例の雪玉用パチンコは、雪玉セット部５が屈曲変形自在なシート製のカップ状体に構成されており、また、カップ開口部に近い左右両側部に設けられている連結部７にゴム紐６が連結されているから、雪玉４をセットした雪玉セット部５を後方に引き操作してゴム紐６を弾性伸長させると、この弾性伸長した夫々のゴム紐６が連結する連結部７が設けられている雪玉セット部５のカップ開口縁部を引っぱり、このゴム紐６の引張り作用によりカップ開口部が閉じ動作し、このカップ開口部の閉じ動作により雪玉セット部５の周面部９が雪玉４を抱持し、セットした雪玉４の雪玉セット部５からの脱落（離脱）が可及的に防止され、これにより、例えば発射方向（狙いの方向）を水平方向よりも下方に向けて雪玉セット部５のカップ開口部が下向きになっても、セットした雪玉４が雪玉セット部５から脱落することが殆ど無く、あらゆる方向に向けて雪玉４を発射することができる。
【００３８】
また更に、本実施例の雪玉用パチンコは、紐状弾性体６が所定量以上に弾性伸長することを規制する弾性伸長規制部材10が設けられているから、過剰な引き操作で必要以上に威力のある雪玉４が発射されることが抑制でき、危険性が低減されて、子供も安心して使用することができる。
【００３９】
このように、本実施例の雪玉用パチンコは、雪玉セット部５にセットした雪玉４を壊すことなく、且つ、この雪玉セット部５から脱落させることなく、雪玉４をセットした雪玉セット部５を後方へ引き操作することができ、この引き操作によって生じる紐状弾性体６の弾性力（復帰弾性力）により雪玉４を所望の方向へ遠くに飛ばす（発射する）ことができ、しかも、伸長量規制部材10により過剰に威力がある雪玉４の発射も抑制できるから、安全で安心して使用することができる従来にない画期的な雪玉用パチンコとなる。
【００４０】
尚、本考案は、本実施例に限られるものではなく、各構成要件の具体的構成は適宜設計し得るものである。
【符号の説明】
【００４１】
１  把持部
２  支柱部
３  本体部
４  雪玉
５  雪玉セット部
６  ゴム紐
７  連結部
８  取手部
９  周面部
10  伸長量規制部材
11  底面部
【図１】
0003203187.tif 000003
【図２】
0003203187.tif 000004
【図３】
0003203187.tif 000005
【図４】
0003203187.tif 000006
【図５】
0003203187.tif 000007
【図６】
0003203187.tif 000008
【図７】
0003203187.tif 000009